(57)【要約】【課題】  印刷注文（オーダー）に対して、プリント実行前に印刷注文内容を確認し印刷注文内容を修正可能とする画像プリントシステム等を提供する。【解決手段】  複数の画像出力受付端末１は、取得した画像から印刷する画像データを選択させ、印刷注文内容を入力させ、印刷注文データを生成しプリンタサーバ３に送信する。プリンタサーバ３は、画像出力受付端末１から受け取った印刷注文データに基づいて、画像調整対象の画像データに対して画像調整を施す画像調整パラメーター、印刷注文内容を入力させ、当該印刷注文データに設定し、印刷注文テーブル２０に基づいてオーダーの内訳情報１１１からなるオーダー内訳表示画面１１０を表示し、内訳情報１１１に修正がある場合、修正可能とし、オーダー内容確認後、複数のプリンタ５に印刷する。【選択図】  図１０
2010079405.tif 000002
【特許請求の範囲】
【請求項１】
画像データの印刷注文を受け付ける複数の画像出力受付端末と、１または複数のプリンタと、複数の前記画像データの印刷注文を前記プリンタに割り当て、印刷させるプリンタサーバと、がネットワークを介して接続される画像プリントシステムであって、
前記画像出力受付端末は、
記録媒体に記録された画像データを入力する画像入力手段と、
前記画像データを保持する保持手段と、
前記保持手段によって保持されている前記画像データのなかで印刷する画像データを選択させ、前記印刷する画像データの印刷注文内容を入力させ、印刷注文データを生成する注文入力手段と、
前記印刷注文データを前記プリンタサーバに送信する送信手段と、
を備え、
前記プリンタサーバは、
前記画像出力受付端末から受け取った印刷注文データのなかで、画像調整対象の画像データを選択させ、画像調整を施す画像調整パラメーター及び／または前記印刷注文内容を入力させ、当該印刷注文データに設定する印刷画像調整手段と、
印刷実行前に、前記印刷注文データに基づいて、印刷注文内訳情報を表示し、前記印刷注文内訳情報に修正がある場合、前記印刷画像調整手段により修正可能とする印刷注文表示手段と、
前記印刷注文データに応じて、印刷する画像データを画像調整し、前記１または複数のプリンタに割り当て、印刷させる印刷制御手段と、
を備えることを特徴とする画像プリントシステム。
【請求項２】
画像データの印刷注文を受け付ける画像出力受付端末と、１または複数のプリンタと、からなる画像プリントシステムであって、
前記画像出力受付端末は、
記録媒体に記録された画像データを入力する画像入力手段と、
前記画像データを保持する保持手段と、
前記保持手段によって保持されている前記画像データのなかで印刷する画像データを選択させ、前記印刷する画像データの印刷注文内容を入力させ、印刷注文データを生成する注文入力手段と、
前記印刷注文データのなかで、画像調整対象の画像データを選択させ、画像調整を施す画像調整パラメーター及び／または前記印刷注文内容を入力させ、当該印刷注文データに設定する印刷画像調整手段と、
印刷実行前に、前記印刷注文データに基づいて印刷注文内訳情報を表示し、前記印刷注文内訳情報に修正がある場合、前記印刷画像調整手段により修正可能とする印刷注文表示手段と、
前記印刷注文データに応じて、印刷する画像データを画像調整し、前記１または複数のプリンタに割り当て、印刷させる印刷制御手段と、
を具備することを特徴とする画像プリントシステム。
【請求項３】
前記印刷注文内訳情報は、当該印刷注文の識別情報、印刷する画像データを縮小したサムネイル画像、印刷種別、印刷枚数、印刷サイズ、画像調整パラメーターのいずれか少なくとも１つの情報を有することを特徴とする請求項１または請求項２記載の画像プリントシステム。
【請求項４】
前記画像調整パラメーターは、色調整、印刷サイズ設定、フレーム設定、拡大／縮小、赤目補正のいずれか少なくとも１つの画像調整のパラメーターであることを特徴とする請求項１乃至請求項３記載の画像プリントシステム。
【請求項５】
コンピュータを請求項１に記載の画像プリントシステムのプリンタサーバとして機能させるプログラム。
【請求項６】
コンピュータを請求項１に記載の画像プリントシステムのプリンタサーバとして機能させるプログラムを記録した記録媒体。
【請求項７】
コンピュータを請求項２に記載の画像プリントシステムの画像出力受付端末として機能させるプログラム。
【請求項８】
コンピュータを請求項２に記載の画像プリントシステムの画像出力受付端末として機能させるプログラムを記録した記録媒体。
【発明の詳細な説明】
【技術分野】
【０００１】
本発明は、利用者が持ち込んだ記録媒体の画像データを印刷する画像プリントシステムに関し、特に、印刷注文（オーダー）の内容確認に関する。
【背景技術】
【０００２】
近年、利用者が持ち込んだ記録媒体に記録されているデジタルカメラの画像データをプリントすることができる比較的小規模の画像プリントシステム（画像出力装置）が実用化されている（例えば、特許文献１参照）。
また、これらの画像プリントシステムでは、取得された画像データのサムネイル画像を表示し、プリントする画像の選択、各選択画像のプリント枚数、プリントサイズや画像調整等のプリント注文内容の指定を行わせ、指定された印刷注文（オーダー）内容に従いプリントしていた。画像調整に関しては、画像全体の色合いから自動的に調整を施したり、利用者がモニタを見ながらカラーバランスや各色のトーンカーブをマニュアルで調整していた。
【０００３】
【特許文献１】特開２００４−２６８４３１号公報
【発明の開示】
【発明が解決しようとする課題】
【０００４】
しかしながら、従来の画像プリントシステムにおいては、複数の画像の選択、各選択画像のプリント枚数、プリントサイズや画像調整等の印刷注文内容の指定を行わせ、指定された印刷注文（オーダー）内容に従いプリントしていたが、印刷注文内容に指定ミスがあった場合、そのままプリントされていたという問題があった。
【０００５】
本発明は、以上の点に鑑みてなされたものであり、印刷注文（オーダー）に対して、プリント実行前に印刷注文内容を確認し印刷注文内容を修正可能とする画像プリントシステム等を提供することを目的とする。
【課題を解決するための手段】
【０００６】
前述した目的を達成するために第１の発明は、画像データの印刷注文を受け付ける複数の画像出力受付端末と、１または複数のプリンタと、複数の前記画像データの印刷注文を前記プリンタに割り当て、印刷させるプリンタサーバと、がネットワークを介して接続される画像プリントシステムであって、前記画像出力受付端末は、記録媒体に記録された画像データを入力する画像入力手段と、前記画像データを保持する保持手段と、前記保持手段によって保持されている前記画像データのなかで印刷する画像データを選択させ、前記印刷する画像データの印刷注文内容を入力させ、印刷注文データを生成する注文入力手段と、前記印刷注文データを前記プリンタサーバに送信する送信手段と、を備え、前記プリンタサーバは、前記画像出力受付端末から受け取った印刷注文データのなかで、画像調整対象の画像データを選択させ、画像調整を施す画像調整パラメーター及び／または前記印刷注文内容を入力させ、当該印刷注文データに設定する印刷画像調整手段と、印刷実行前に、前記印刷注文データに基づいて印刷注文内訳情報を表示し、前記印刷注文内訳情報に修正がある場合、前記印刷画像調整手段により修正可能とする印刷注文表示手段と、前記印刷注文データに応じて、印刷する画像データを前記１または複数のプリンタに割り当て、印刷させる印刷制御手段と、を備えることを特徴とする画像プリントシステムである。
【０００７】
また、前記印刷注文内訳情報は、当該印刷注文の識別情報、印刷する画像データを縮小したサムネイル画像、印刷種別、印刷枚数、印刷サイズ、画像調整パラメーターの情報のいずれか少なくとも１つを有することが望ましい。
【０００８】
第１の発明では、画像プリントシステムにおいて、画像の選択、選択画像のプリント枚数、プリントサイズや画像調整等の印刷注文内容の指定した後、印刷注文（オーダー）の内容を表示することにより、指定ミスの有無を確認でき、指定ミスがあった場合、プリント実行前に修正可能とし、利用者や店舗側の利便性を向上させるという効果を奏する。更に、指定ミスによる無駄なプリントアウトを削減可能とし、システム全体の処理の効率化を図ることができる。
【０００９】
また、第２の発明は、画像データの印刷注文を受け付ける画像出力受付端末と、１または複数のプリンタと、からなる画像プリントシステムであって、前記画像出力受付端末は、記録媒体に記録された画像データを入力する画像入力手段と、前記画像データを保持する保持手段と、前記保持手段によって保持されている前記画像データのなかで印刷する画像データを選択させ、前記印刷する画像データの印刷注文内容を入力させ、印刷注文データを生成する注文入力手段と、前記印刷注文データのなかで、画像調整対象の画像データを選択させ、画像調整を施す画像調整パラメーター及び／または前記印刷注文内容を入力させ、当該印刷注文データに設定する印刷画像調整手段と、印刷実行前に、前記印刷注文データに基づいて印刷注文内訳情報を表示し、前記印刷注文内訳情報に修正がある場合、前記印刷画像調整手段により修正可能とする印刷注文表示手段と、前記印刷注文データに応じて、印刷する画像データを前記１または複数のプリンタに割り当て、印刷させる印刷制御手段と、を具備することを特徴とする画像プリントシステムである。
【００１０】
第３の発明は、コンピュータを第１の発明の画像プリントシステムのプリンタサーバとして機能させるプログラムである。
第４の発明は、コンピュータを第１の発明の画像プリントシステムのプリンタサーバとして機能させるプログラムを記録した記録媒体である。
【００１１】
第５の発明は、コンピュータを第２の発明の画像プリントシステムの画像出力受付端末として機能させるプログラムである。
第６の発明は、コンピュータを第２の発明の画像プリントシステムの画像出力受付端末として機能させるプログラムを記録した記録媒体である。
【００１２】
上述のプログラムをＣＤ−ＲＯＭ等の記録媒体に保持させて流通させてもよいし、このプログラムを通信回線を介して送受することもできる。
【発明の効果】
【００１３】
本発明は、以上の点に鑑みてなされたものであり、印刷注文（オーダー）に対して、プリント実行前に印刷注文内容を確認し印刷注文内容を修正可能とする画像プリントシステム等を提供することができる。
【発明を実施するための最良の形態】
【００１４】
以下に、添付図面を参照しながら、本発明に係る画像プリントシステム等の好適な実施形態について詳細に説明する。尚、以下の説明および添付図面において、略同一の機能構成を有する構成要素については、同一の符号を付することにより重複説明を省略することにする。
【００１５】
まず、図１を参照しながら、本発明の本実施の形態に係る画像プリントシステム１００のシステム構成について説明する。
図１は、本発明の本実施の形態に係る画像プリントシステム１００のシステム構成を示すブロック図である。
【００１６】
図１は、画像プリントシステム１００の１例であり、図１に示すように、画像プリントシステム１００は、複数の画像出力受付端末１−１、１−２、プリンタサーバ３、複数のプリンタ５−１、５−２、５−３等が、ネットワーク９を介して接続されて構成される。
【００１７】
ネットワーク９は、インターネット、ローカルエリアネットワーク（ＬＡＮ）、社内ＬＡＮ等のネットワークであり、有線、無線を問わない。
【００１８】
画像出力受付端末１は、店頭において画像プリント受付を行う端末装置であり、画像データ読込手段１０１、画像編集合成手段１０２、注文送信手段１０３、注文入力手段１０４、課金手段１０５等を備える。
【００１９】
画像データ読込手段１０１は、予め画像データが記録された入力メディア１２１から画像データ１１を取得し記憶部３０２に保持する。
入力メディア１２１は、例えば、スマートメディア、コンパクトフラッシュ（登録商標）、ミニＳＤ（ｓｅｃｕｒｅ  ｄｉｇｉｔａｌ）カード、ＳＤメモリカード、メモリスティック、コンパクトディスク等である。
尚、本実施の形態では、画像データ読込手段１０１として、入力メディア１２１から画像データを読み取る手段のみを示しているが、スキャナ装置や撮影装置を装備し、スキャナ装置により画像データを読み取る手段や、被写体をデジタルカメラ等の撮影装置により撮像し、画像データを読み取る手段を備えるようにしてもよい。
【００２０】
画像編集合成手段１０２は、一つ以上の入力、または選択した画像に対して、落書き、スタンプのような加工、画像データの切抜き、変倍等、合成編集等を対話的に行う対話型インタフェース手段と、画像処理プログラムで構成される。加工は合成編集を扱う画像データとしては、記憶部３０２に記憶する素材画像データ、フレーム画像等の素材データ１２を使用することができる。
【００２１】
注文送信手段１０３は、注文入力手段１０４により指定させる印刷する画像データ、印刷サイズ、印刷枚数等の印刷注文データ（オーダー）１３を、ネットワーク９を介して、プリンタサーバ３に送信する。
【００２２】
利用者は、注文入力手段１０４を通じて、印刷を注文する画像データを選択する。注文入力手段１０４は、例えば、液晶ディスプレイやＣＲＴ（ｃａｔｈｏｄｅ−ｒａｙ  ｔｕｂｅ）等の表示手段と一体化されたタッチパネルや、キーボード、マウス、トラックボール等の各種ポインタを用いることができる。
注文入力手段１０４は、画像データ読取手段１０１によって取得された画像データのサムネイル画像を表示し、プリント種別や印刷枚数、印刷サイズ、画像調整処理等の指定を可能とし、指定した印刷注文データ１３を記憶部３０２に保存する。利用者は、タッチパネルや各種ポインタを使用して、これらの指定を行うことができる。
【００２３】
課金手段１０５は、利用者によるプリント物の印刷注文データ１３に応じた料金を算出、表示し、必要に応じてレシートプリンタにより引換証を発行し、店頭での利用者に支払いを要求する。
尚、本実施の形態では、課金手段１０５として、料金算出、引換証やレシート発行のみを示しているが、課金機を装備し、利用者に入金を要求し現金による課金処理を備えるようにしてもよい。
【００２４】
プリンタサーバ３は、パーソナルコンピュータ等であり、注文受信手段１３１、印刷画像調整手段１３２、注文内訳表示手段１３３、印刷制御手段１３４等を有する。
注文受信手段１３１は、複数の画像出力受付端末１−１、１−２から印刷注文データ（オーダー）１３を受信し、随時、印刷注文テーブル２０に格納する。
印刷画像調整手段１３２は、オペレータにより選択された処理対象のサムネイル画像に対して、色調整、プリントサイズ設定、フレーム設定、拡大／縮小、赤目補正等の画像調整を施し、設定された当該印刷注文データ１３を印刷注文テーブル２０に格納する。
注文内訳表示手段１３３は、印刷実行前に、印刷注文データ１３に基づいて印刷注文内容を表示、確認し、印刷注文内容に修正がある場合、印刷画像調整手段１３２により修正可能とする。
印刷制御手段１３４は、印刷注文テーブル２０を参照し、注文画像を指定された印刷サイズに応じて複数台のプリンタ５−１、５−２、５−３に振り分け、プリンタ割当テーブル２２を作成し、各プリンタ５−１、５−２、５−３に印刷画像データを転送する。
【００２５】
プリンタ５−１、５−２、５−３は、複数の印刷サイズで画像データを印刷する高解像度カラープリンタであり、プリント物１２３を印刷する。昇華型あるいはインクジェット型など、プリンタの方式は問わない。印刷サイズには、例えば、Ｌサイズ（８９×１２７ｍｍ）、ＰＣサイズ（１０１×１５２ｍｍ）、２Ｌサイズ（１２７×１７６ｍｍ）、Ａ５サイズ（１５２×２０３ｍｍ）、Ａ５ワイド（１５２×２２９ミリ）、Ａ４サイズ（２０３×２９７ｍｍ）等がある。プリント物１２３は、デジタルカメラ画像デジタルカメラ画像等の写真や、シールプリント、はがき等である。
尚、本実施の形態では、プリンタ５−１、５−２、５−３は３台の場合を説明したが、これに限らず、３台以上設けることができる。
【００２６】
次に、図２を参照しながら、画像出力受付端末１の外観構成について説明する。図２は、画像出力受付端末１の１例に関する概略斜視図である。
【００２７】
図２に示すように、画像出力受付端末１の上部正面には、タッチパネル付きの液晶ディスプレイ等のディスプレイ画面２０１が配置されている。タッチパネル付きディスプレイ２０１は、操作の案内や操作の状況、読み込んだ画像データのサムネイル画像表示等を表示する表示手段としての機能を持つとともに、利用者に印刷する写真やプリントサイズ、画像処理等をタッチパネルに触れることで選択させる入力手段としての機能を持つ。
【００２８】
タッチパネル付きディスプレイ２０１の下部には、メディア投入口２０３、レシート取出口２０５が設けられる。
メディア投入口２０３は、各種メディア（スマートメディア、コンパクトフラッシュ（登録商標）、ミニＳＤ（ｓｅｃｕｒｅ  ｄｉｇｉｔａｌ）カード、ＳＤメモリカード、メモリスティック、コンパクトディスク等）の挿入口であり、複数の挿入口が１箇所にまとめて配置されている。また、画像出力受付端末１の筐体内には、上記の各記録媒体の挿入口に対応して、それぞれの媒体の読取・書込み装置の本体（図示しない）が設置されている。各挿入口には、料金の徴収が完了するまで記録媒体を取り出せないようにシャッター（図示しない）を備えてもよい。
また、徴収金額や注文内容等が印刷された引換証、レシートがレシート取出口２０５から放出される。画像出力受付端末１の筐体内には、レシート取出口２０５に対応してレシート印刷用プリンタが設けられている。
【００２９】
利用者は、タッチパネル付きディスプレイ２０１に設けられたタッチパネルにより画像の選択やプリントの実行を指示する。
【００３０】
また、画像出力受付端末１の筐体内には、図示しないが、画像出力受付端末１の各構成部分を制御するための制御部を含むパソコンや、電圧の変換を行う電源ボックス、停電時に制御部のＣＰＵやハードディスク等の破損を防ぐ無停電電源装置等が設けられる。メンテナンスキーは、利用者が画像出力受付端末１を利用可能な運転モードと、管理者が画像出力受付端末１のメンテナンスや設定、レシートの再印刷等を行う管理モードを切り替えるキーである。
【００３１】
次に、図３を参照しながら、画像出力受付端末１のハードウェア構成について説明する。
画像出力受付端末１は、制御部３０１、記憶部３０２、入出力部３０３（ＣＤ−ＲＯＭドライブ装置、キーボード、マウス等）、通信部３０４、各種メディア読取部３０５、シャッター３０６、モニタ（タッチパネル付き）３０７、レシートジャーナル処理部３１０等がバス３１９を介して接続される。
【００３２】
制御部３０１は、プログラムの実行を行うＣＰＵ（ｃｅｎｔｒａｌ  ｐｒｏｃｅｓｓｉｎｇ  ｕｎｉｔ）と、プログラム命令あるいはデータ等を格納するためのＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）等で構成される。制御部３０１は、記憶部３０２等に格納されたプログラムに従って、バス３１９を介して接続された各装置を制御する。
【００３３】
記憶部３０２には、制御部３０１が実行するプログラム、プログラム実行に必要なデータ、ＯＳ（オペレーティングシステム）等が格納される。各構成部分を制御する制御プログラム、例えば、画像入力プログラム、シャッターの開閉制御プログラム、課金処理プログラム、レシート印刷処理プログラム、保守プログラム等のプログラムや、画像データ１１、素材データ１２、印刷注文データ１３等の各種制御データが格納されている。
【００３４】
これらのプログラム・コードは、制御部３０１により必要に応じて読み出され、ＲＡＭに移され、ＣＰＵに読み出されて各種機能として実行される。
【００３５】
入出力部３０３（ＣＤ−ＲＯＭドライブ装置、キーボード、マウス等）は、制御部３０１のＲＯＭや記憶部３０２に格納されているプログラムや情報を更新したり、画像出力受付端末１の動作等の設定を行う画像出力受付端末１のメンテナンス時に用いられる。
【００３６】
通信部３０４は、通信制御装置、通信ポート等を有し、画像出力受付端末１とネットワーク９間の通信を媒介する通信インタフェースである。通信部３０４は、ネットワーク９を介して、画像出力受付端末１とプリンタサーバ３間の通信制御を行う。
【００３７】
各種メディア読取部３０５は、画像入力機能の役割を果たす。シャッター３０６は、各記録媒体挿入口に設けられ、記録媒体の挿入口を開閉し、読取処理の最中や、課金処理が完了するまで、記録媒体を取り出せないようにする。
【００３８】
利用者は、モニタ３０７に表示された操作案内に従って、モニタ３０７に設置されたタッチパネルに触れることにより、画像入力時の画像選択や、プリント指示等の操作を行える。
【００３９】
レシートジャーナル処理部３１０は、課金機能の役割を果たす。レシート取出口２０５に対応して画像出力受付端末１の内部に設けられ、引換証、レシート印刷を行う。
【００４０】
次に、図４を参照しながら、プリンタサーバ３のハードウェア構成を説明する。図４は、プリンタサーバ３のハードウェア構成図である。
プリンタサーバ３は、制御部４０１、記憶部４０２、メディア入出力部４０３、通信制御部４０４、入力部４０５、表示部（タッチパネル付きモニタ）４０６、通信用Ｉ／Ｆ部４０７等からなる。
【００４１】
制御部４０１は、ＣＰＵ、ＲＯＭ、ＲＡＭ等で構成され、記憶部４０２に格納されたプログラムに従って、各装置を駆動制御する。
【００４２】
記憶部４０２には、ＨＤＤ（ハードディスクドライブ）であり、制御部４０１が実行するプログラム、プログラム実行に必要なデータ、ＯＳ（オペレーティングシステム）等が格納される。プログラムに関しては、ＯＳ（オペレーティングシステム）に相当する制御プログラムや、本コンピュータを適用するプリンタサーバ３が行う注文受信手段１３１、印刷画像調整手段１３２、注文内訳表示手段１３３、印刷制御手段１３４に相当するアプリケーションプログラム等が格納されている。
【００４３】
これらの各プログラムコードは、制御部４０１により必要に応じて読み出されてＲＡＭに移され、ＣＰＵに読み出されて各種の手段として実行される。
【００４４】
メディア入出力部４０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００４５】
通信制御部４０４は、通信制御装置、通信ポート等を有し、プリンタサーバ３とネットワーク９間の通信を媒介する通信インタフェースであり、ネットワーク９を介して、プリンタサーバ３と、画像出力受付端末１間の通信制御を行う。
【００４６】
入力部４０５は、データの入力を行い、例えば、キーボード、マウス等のポインティングデバイス、テンキー等の入力装置を有し、操作指示、動作指示、データ入力等を行うことができる。
【００４７】
表示部（タッチパネル付きモニタ）４０６は、ＣＲＴモニタ、液晶パネル等のタッチパネル付きのディスプレイ装置を有する。オペレータは、モニタに設置されたタッチパネルに触れることにより、選択された処理対象のサムネイル画像に対して、画像調整を施し、印刷注文内容を表示し、プリント物出力までの一連の印刷制御操作を行える。
【００４８】
通信用Ｉ／Ｆ部４０７は、プリンタサーバ２とプリンタ５−１、５−２、５−３間の通信を行うための接続部である。
システムバス４０９は、各装置間の制御信号、データ信号等の授受を媒介する経路である。
【００４９】
プリンタ５は、利用者により選択され、プリント指示が行われた画像データの印刷出力処理を行う。画像プリントシステム１には、複数枚の画像を同時に印刷し、印刷時間の短縮を図るため、複数台のプリンタ５−１、５−２、５−３が備えられる。
【００５０】
次に、画像プリントシステム１００の動作について詳しく説明する。
【００５１】
まず、図１２を参照しながら、画像プリントシステム１００において画像出力受付端末１の処理動作について説明する。
図１２は、画像出力受付端末１の処理動作を示すフローチャートである。
【００５２】
画像出力受付端末１の制御部３０１は、モニタ３０７（２０１）上にサービス内容、手順、案内等を示すメニュ画面を表示し、利用者に機能を選択させる（ステップＳ１２０１）。例えば、利用者は、サービス（その場プリント、インデックスプリント、フレームプリント等）、入力メディア（スマートメディア、コンパクトフラッシュ（登録商標）、ミニＳＤ（ｓｅｃｕｒｅ  ｄｉｇｉｔａｌ）カード、ＳＤメモリカード、メモリスティック、コンパクトディスク等）を選択する。
利用者によりサービス内容、支払い方法が指定されると、指定された情報を記憶部３０２に設定する。
【００５３】
画像出力受付端末１の制御部３０１は、利用者が持参した入力メディア１２１をメディア投入口２０３に挿入すると、画像データ読込手段１０１を起動し、各種メディア読み取り部３０５の当該入力メディア１２１に適合するメディア読み取り部を起動し、挿入された入力メディア１２１の画像データを取得する（ステップＳ１２０２）。取得された画像データは、記憶部３０２の画像データ１１に格納される。
【００５４】
制御部３０１は、注文入力手段１０４により、取得された画像データのサムネイル画像からなるサムネイル画面５０をモニタ３０７（２０１）に表示し、利用者にプリントする画像の選択と、各選択画像のプリント枚数を指定させ、さらに、印刷サイズや画像調整等のプリント注文内容の指定を行わせる（ステップＳ１２０３）。
【００５５】
図５は、サムネイル画面５０の１例を示す図である。利用者が挿入したメディアから取得した画像データのサムネイル画像（００１〜０１５）がモニタ３０７（２０１）上に表示される。
利用者は、プリントしたい画像のプリント枚数を例えば、「＋」あるいは「−」の部分のタッチパネルに触れることにより設定する。利用者により設定された枚数が、注文枚数として表示される。
【００５６】
サムネイル画面５０には、例えば、サムネイル画像を拡大したいときに使用する「拡大」ボタン５２、プリント枚数設定完了後に押す「次へ」等のボタン５１が設けられる。これらのタッチパネル・ボタンに触れることにより、対応する処理が実行される。
【００５７】
利用者によりプリント画像とその枚数等が指定されると、注文入力手段１０４は、利用者が選択したプリント画像のサムネイル番号と、プリントサイズ、プリント枚数、画像調整の設定等からなる印刷注文データ１３を記憶部３０２内の印刷注文テーブルに格納する。
【００５８】
利用者が印刷注文（オーダー）確認を完了すると（利用者が「次へ」ボタン５１を押した場合）、画像出力受付端末１の制御部３０１は、画像編集合成手段１０２により、素材データ１２を用いて、利用者の指示に基づいて画像の加工、編集、合成等を行う（ステップＳ１２０４）。
画像の加工、編集、合成は、例えば、入力画像と日付データの合成、入力画像とフレーム画像の合成、拡大、縮小等である。
【００５９】
また、制御部３０１は、課金手段１０５により課金処理を実行する（ステップＳ１２０５）。すなわち、合計金額等を算出し、モニタ３０７（２０１）に表示し、必要に応じて利用者に代金の支払いを促す引換証やレシート発行処理を行う。
制御部３０１は、注文の識別情報、徴収する金額、注文内容などを印刷した引換証をレシート取出口２０５から放出する。利用者は、店頭において、引換証に対応付けられるプリント物１２３と引き換えに代金を支払う。
【００６０】
画像出力受付端末１の制御部３０１は、画像処理を行い（ステップＳ１２０６）、画像処理した印刷画像データをハードディスク３０２等に保持する。
制御部３０１は、注文送信手段１０３により、印刷画像データ、印刷サイズ、印刷枚数等からなる印刷注文データ１３をプリンタサーバ３に送信する（ステップＳ１２０７）。
【００６１】
次に、図１３を参照しながら、プリンタサーバ３における、選択された処理対象のサムネイル画像に対する画像調整、印刷注文内容を表示、複数の画像出力受付端末１から印刷注文データ（オーダー）１３を複数台のプリンタ５に振り分け、印刷処理を行う処理動作を詳しく説明する。
図１３は、プリンタサーバ３の処理動作を示すフローチャートである。
【００６２】
プリンタサーバ３の制御部４０１は、注文受信手段１３１により、複数の画像出力受付端末１−１、１−２から印刷注文データ１３を受け取り、記憶部４０２に印刷注文テーブル２０に格納する（ステップＳ１３０１）。
【００６３】
プリンタサーバ３の制御部４０１は、印刷画像調整手段１３２により、印刷注文テーブル２０に格納されている複数の印刷注文データ１３に基づいて、印刷する画像データのサムネイル画像をプリンタサーバ３の表示部４０６に表示し、オペレータにより選択された処理対象のサムネイル画像に対して、色調整、プリントサイズ設定、フレーム設定、拡大／縮小、赤目補正等の画像調整を施すパラメーターを設定し、設定された当該印刷注文データ１３を印刷注文テーブル２０に格納する。（ステップＳ１３０２）。
【００６４】
図６は、プレジャッジプリントメイン画面６０の１例を示す図である。印刷注文された画像データのサムネイル画像、設定されている色調整、指定されたプリント枚数等が表示され、オペレータは、処理対象にしたいサムネイル画像を選択し、色調整、プリントサイズ設定、フレーム設定、拡大／縮小、赤目補正等の画像調整を設定することができる。
プレジャッジプリントメイン画面６０には、例えば、画像調整を行う「画像調整」ボタン６１、画像調整完了後に押す「次へ」等のボタン５１が設けられる。
【００６５】
画像調整するサムネイル画像を選択し、「画像調整」ボタン６１を押すことにより、選択した対象画像の色調整、プリントサイズ設定、フレーム設定、拡大／縮小、赤目補正等の画像調整を可能とする。オペレータが画面上のサムネイル画像を選択し、「画像調整」ボタン６１を押すと、制御部４０１は色調整画面７０を表示部４０６に表示する。
【００６６】
図７は、色調整画面７０の１例を示す図である。プレジャッジプリントメイン画面６０には、選択した画像データのサムネイル画像が一画像表示される。
色調整画面７０には、各種画像調整を行う「色調整」ボタン７１、「拡大・縮小」ボタン７２、「プリントサイズ」ボタン７３、「赤目補正」ボタン７４、「フレーム設定」ボタン７５等の画像調整モードボタン７９と、「戻る」ボタン５８、「閉じる」ボタン５９等のボタンと、色調整領域７６が設けられる。色調整領域７６において、色調整を行うためには、「イエロー（Ｙ）」、「マゼンタ（Ｍ）」、「シアン（Ｃ）」、「濃度（Ｄ）」の各増減ボタンや、コントラストの増減ボタン等を操作する。
画像調整モードボタン７９である「色調整」ボタン７１、「拡大・縮小」ボタン７２、「プリントサイズ」ボタン７３、「赤目補正」ボタン７４、「フレーム設定」ボタン７５を押すことにより、対応する画像調整メニュが表示される。
【００６７】
例えば、オペレータが「プリントサイズ」ボタン７３を押した場合、制御部４０１はプリントサイズ設定画面８０を表示する。
図８は、プリントサイズ設定画面８０の１例を示す図である。プリントサイズ設定画面８０には、選択した画像データのサムネイル画像が一画像表示され、プリントサイズ３３とプリント枚数３４を設定する。プリントサイズ３３には、３．５×５、４×６、５×７、８×１０、８×１２等がある。
【００６８】
また、オペレータが「フレーム設定」ボタン７５を押した場合、制御部４０１はフレーム設定画面９０を表示部４０６に表示する。
図９は、フレーム設定画面９０の１例を示す図である。フレーム設定画面９０には、選択した画像データのサムネイル画像が一画像表示され、フレームサイズ３６やプリント枚数３４等のフレームの設定を行う。フレームサイズ３６には、４×６、４×８、５×７、８×１０等がある。
【００６９】
色調整画面７０には、その他、選択した調整内容をリセットするためのボタン、画像調整が終了したとして、またはプレジャッジプリントメイン画面６０に戻るための「戻る」ボタン５８等が表示される。プレジャッジプリントメイン画面６０に戻ると、他の画像に対する注文入力、画像調整が継続される。
【００７０】
オペレータにより各種画像調整メニュ画面での画像調整が設定されると、印刷画像調整手段１３２は、例えば、図１１（ａ）に示すような印刷注文テーブル２０を作成する。
図１１は、画像の注文内容と印刷割り当ての１例を示す図である。
図１１(ａ)に示すように、印刷注文テーブル２０は、オペレータが選択したプリント画像の印刷注文（オーダー）番号３０、オペレータが選択したプリント画像の画像番号３１、プリント種別３２、プリントサイズ３３（またはフレームサイズ３６）、プリント枚数３４、画像調整（色調整、赤目補正等）３５等からなり、記憶部４０２内に置かれる。
【００７１】
オペレータがプリント枚数やプリントサイズ、画像調整の設定を完了する（プレジャッジプリントメイン画面６０においてオペレータが「次へ」ボタン５１を押した場合）、制御部４０１は、注文内訳表示手段１３３により、印刷実行前に、印刷注文テーブル２０に格納されている印刷注文データ１３基づいて、印刷注文（オーダー）の内訳を表示部４０６に表示し、確認させる（ステップＳ１３０３）。
【００７２】
図１０は、オーダー内訳表示画面１１０の１例を示す図である。受け付けた印刷注文（オーダー）の内訳が表示される。
図１０に示すように、オーダー内訳表示画面１１０には、印刷注文（オーダー）の内訳情報１１１−１、１１１−２、１１１−３、１１１−４がモニタ３０７（２０１）上に表示される。
【００７３】
例えば、図１１（ａ）の印刷注文テーブル２０の場合、画像００１がフレーム４×６サイズで３枚、画像００８がフレーム５×７サイズで１枚、画像０１１が４×６サイズで２枚、画像０１２が５×７サイズで３枚、というように注文されている。印刷注文テーブル２０に基づいて、図１０のオーダー内訳表示画面１１０に印刷注文（オーダー）に対する内訳情報１１１−１、１１１−２、１１１−３、１１１−４が表示される。内訳情報１１１−１、１１１−２、１１１−３、１１１−４は、例えば、印刷画像データ毎のプリント種別３２、プリントサイズ３３、プリント枚数３４等の情報からなる。
【００７４】
尚、本実施の形態では、オーダー内訳表示画面１１０の内訳情報１１１として、印刷画像データ毎にプリント種別３２、プリントサイズ３３、プリント枚数３４等の項目を表示したが、これに限らず、更に、オーダー番号、印刷画像のサムネイル画像、画像調整情報等を表示してもよい。また、プリントサイズ３３毎に印刷注文データの項目を表示してもよい。
【００７５】
オーダー内訳表示画面１１０には、その他、各内訳情報１１１に対応する印刷注文データ項目を削除するための「削除」ボタン１１２、印刷注文確認が終了し、印刷実行するための「次へ」ボタン５１、印刷注文確認により指定ミスがあった場合にプレジャッジプリントメイン画面６０に戻るための「戻る」ボタン５８等が表示される。
「削除」ボタン１１２を押すと、制御部４０１は、削除前に確認ウィンドウ（図示せず）を表示し、オペレータにより確認後（確認キー押下後）、該当する印刷注文データ項目を削除する。
「戻る」ボタン５８を押すと、制御部４０１はステップＳ１３０２に移行し、プレジャッジプリントメイン画面６０に戻り、指定ミスのあった印刷注文画像に対する印刷注文内容の再入力、画像調整等を行う。
【００７６】
次に、プリンタサーバの制御部４０１は、印刷制御手段１３４に相当する印刷制御処理を行う。
印刷制御処理は、プリンタ割当処理、画像調整処理、印刷出力処理等からなる。
【００７７】
まず、制御部４０１はプリンタ割当処理を起動し、印刷注文テーブル２０を参照し、印刷注文画像を複数台のプリンタ５−１、５−２、５−３に割り当て、プリンタ割当テーブル２２を作成する（ステップＳ１３０４）。プリンタ割当テーブル２２は記憶部４０２内に設けられる。
【００７８】
図１１（ａ）の印刷注文テーブル２０の場合、画像００１がフレーム４×６サイズで３枚、画像００８がフレーム５×７サイズで１枚、画像０１１が４×６サイズで２枚、画像０１２が５×７サイズで３枚、というように注文されているが、プリンタ割当処理は、印刷画像データを３台のプリンタ５に割当し、例えば、図１１（ｂ）のプリンタ割当テーブル２２の例では、プリンタ５−１で画像００１（４×６）３枚を、プリンタ５−２で画像００８（５×７）１枚を、プリンタ５−３で画像０１１（４×６）２枚、プリンタ５−２で画像０１２（５×７）３枚を印刷することを示している。
【００７９】
上述の例では、各プリンタ５に１画像ずつ振り分けた後、振り分けたプリント枚数の少ない順に次の画像を振り分けていく方法を採っているが、この割当方法はこの方法に限ることなく、どのような方法でもよい。
【００８０】
また、このプリンタ割当処理において、プリンタ５からのプリンタ情報を取得し、この情報に基づいてプリンタ割当を行うようにしてもよい。
【００８１】
次に、制御部４０１は、画像調整処理を実行する（ステップＳ１３０５）。
画像調整処理は、印刷注文テーブル２０を参照し、記憶部４０２内の画像データ１１から印刷する画像を取り出し、印刷注文テーブル２０の画像調整指定に応じて画像調整処理を施し、さらに、プリンタ割当テーブル２２を参照して、複数のプリンタ５の各プリンタ５−１、５−２、５−３で印刷する画像の印刷画像データとして蓄える。
そして、最後に、制御部４０１はプリンタ５−１、５−２、５−３に各印刷画像データを送り、各プリンタ５で印刷処理が実行される（ステップＳ１３０６）。
【００８２】
尚、プリンタ５（５−１、５−２、５−３）は３台の場合で説明したが、３台以上設けることができる。
【００８３】
以上説明したように、本発明の実施の形態によれば、画像データの印刷注文を受け付ける複数の画像出力受付端末１と、プリンタサーバ３と、複数のプリンタ５からなる画像プリントシステム１００において、画像出力受付端末１は、画像データ読込手段１０１により入力メディアから画像データを取得し、注文入力手段１０４により画像データのサムネイル画像を表示し、印刷する画像データの選択、印刷注文内容の入力、印刷注文データの生成を行い、注文送信手段１０３により印刷注文データをプリンタサーバ３に送信する。プリンタサーバ３は、印刷画像調整手段１３２により、受け取った印刷注文データのなかで、画像調整対象の画像データを選択させ、画像調整を施す画像調整パラメーターを入力させ、当該印刷注文データに設定し、注文内訳表示手段１３３により印刷実行前に、印刷注文データに基づいて印刷注文の内訳情報１１１を表示し、印刷注文内容に修正がある場合、印刷注文内容を修正可能し、印刷制御手段１３４により印刷注文データに応じて、印刷する画像データを１または複数のプリンタ５に割り当て、印刷させる。
【００８４】
これにより、画像プリントシステムにおいて、画像の選択、選択画像のプリント枚数、プリントサイズや画像調整等の印刷注文内容の指定した後、印刷注文（オーダー）の内容を表示することにより、指定ミスの有無を確認でき、指定ミスがあった場合、修正可能とし、店舗側の利便性を向上させるという効果を奏する。更に、指定ミス等による無駄なプリント出力を削減可能とし、システム全体の処理の効率化を図ることができる。
【００８５】
尚、本実施の形態は、１または複数の画像出力受付端末１と、１または複数のプリンタが接続されるプリンタサーバ３とがネットワークを介して接続された画像プリントシステム１００について説明したが、画像出力受付端末と、１または複数のプリンタから構成されたシステムにおいて、受け付けた印刷注文（オーダー）を画像出力受付端末内に、印刷画像調整手段１３２、注文内訳表示手段１３３に相当する機能を備え、印刷画像調整手段１３２により印刷注文された画像の調整を行い、注文内訳表示手段１３３により印刷注文データに基づいて印刷注文内容を表示、確認し、印刷注文内容に修正があった場合、再度、注文入力手段１０４および印刷画像調整手段１３２により、印刷注文内容を修正可能としてもよい。
【００８６】
尚、図１２、図１３に示す処理を行うプログラムはＣＤ−ＲＯＭ等の記録媒体に保持させて流通させてもよいし、このプログラムを通信回線を介して送受することもできる。
【００８７】
以上、添付図面を参照しながら、本発明に係る画像プリントシステム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００８８】
【図１】本発明の本実施の形態に係る画像プリントシステム１００のシステム構成を示すブロック図
【図２】画像出力受付端末１の外観斜視図
【図３】画像出力受付端末１のハードウェア構成図
【図４】プリンタサーバ３のハードウェア構成図
【図５】サムネイル画面５０の１例を示す図
【図６】プレジャッジプリントメイン画面６０の１例を示す図
【図７】色調整画面７０の１例を示す図
【図８】プリントサイズ設定画面８０の１例を示す図
【図９】フレーム設定画面９０の１例を示す図
【図１０】オーダー内訳表示画面１１０の１例を示す図
【図１１】画像の注文内容と印刷割り当ての１例を示す図
【図１２】画像出力受付端末１の処理動作を示すフローチャート
【図１３】プリンタサーバ３の処理動作を示すフローチャート
【符号の説明】
【００８９】
１………画像出力受付端末
３………プリンタサーバ
５………プリンタ
９………ネットワーク
１１………画像データ
１２………素材データ
１３………印刷注文データ
２０………印刷注文テーブル
２２………プリンタ割当テーブル
３０………印刷注文（オーダー）番号
３１………画像番号
３２………プリント種別
３３………プリントサイズ
３４………プリント枚数
３５………画像調整
１００………画像プリントシステム
１０１………画像データ読込手段
１０２………画像編集合成手段
１０３………注文送信手段
１０４………注文入力手段
１０５………課金手段
１１１………内訳情報
１３１………注文受信手段
１３２………印刷画像調整手段
１３３………注文内訳表示手段
１３４………印刷制御手段
１２１………入力メディア
１２３………プリント物
３０１、４０１………制御部
３０２、４０２………記憶部
【図１】
2010079405.tif 000003
【図２】
2010079405.tif 000004
【図３】
2010079405.tif 000005
【図４】
2010079405.tif 000006
【図５】
2010079405.tif 000007
【図６】
2010079405.tif 000008
【図７】
2010079405.tif 000009
【図８】
2010079405.tif 000010
【図９】
2010079405.tif 000011
【図１０】
2010079405.tif 000012
【図１１】
2010079405.tif 000013
【図１２】
2010079405.tif 000014
【図１３】
2010079405.tif 000015